【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
訂正インターフェースを要求する入力を受信するステップと、
オリジナルのテキストの少なくとも一部に対応する編集可能なテキスト部分を表示して、スタイラスを介した入力を受け入れて前記編集可能なテキスト部分を１文字ずつ変更することを可能にする前記訂正インターフェースを起動するステップと
を備えた方法であって、
前記訂正インターフェースが、
（ａ）前記編集可能なテキスト部分にある、既存の連続する２文字の間に少なくとも１つの追加文字を挿入する入力を受信することによって、
（ｂ）前記編集可能なテキスト部分から既存の文字を削除する入力を受信することによって、または
（ｃ）前記編集可能なテキスト部分にある、既存の文字を変更する入力を受信することによって
前記スタイラスを介した入力を受け入れて前記編集可能なテキスト部分への変更を可能にすることを特徴とする方法。
【請求項２】
前記オリジナルのテキストの一部を選択する入力を受信するステップをさらに備えたことを特徴とする請求項１に記載の方法。
【請求項３】
（ａ）前記少なくとも１つの追加の文字を挿入する入力が、前記既存の連続する２文字の間の訂正インターフェースに対応するデジタイザの領域において、前記スタイラスを用いて、前記少なくとも１つの追加の文字をユーザが書く結果として受信され、
（ｂ）前記既存の文字を削除する入力が、前記削除対象の既存の文字に関連付けられたメニューから、前記スタイラスを用いて削除アクションをユーザが選択する結果として、または前記削除対象の既存の文字についての場所において前記訂正インターフェースに対応するデジタイザの領域において、前記スタイラスを用いて削除ジェスチャをユーザが書く結果として受信され、
（ｃ）前記既存の文字を変更する入力が、前記変更対象の既存の文字についての場所において前記訂正インターフェースに対応するデジタイザの領域において、前記スタイラスを用いて所望の新しい文字をユーザが書く結果として受信される
ことを特徴とする請求項１に記載の方法。
【請求項４】
前記訂正インターフェースは、
（ａ）前記編集可能なテキスト部分を含む第１の部分と、
（ｂ）選択可能に前記スタイラスを用いて、前記オリジナルのテキストの部分に代入する代替候補を少なくとも１つ含む第２の部分と、
（ｃ）選択可能に前記スタイラスを用いて、少なくとも１つのアクションアイテムを有するメニューを含む第３の部分と
を有することを特徴とする請求項１に記載の方法。
【請求項５】
訂正インターフェースを要求する入力を受信するステップと、
オリジナルのテキストの少なくとも一部に対応する編集可能なテキスト部分を表示して、スタイラスを介した入力を受け入れて前記編集可能なテキスト部分を１文字ずつ変更することを可能にする前記訂正インターフェースを起動するステップと
をコンピュータに実行させるプログラムを記録したコンピュータ読取可能な記録媒体であって、
前記訂正インターフェースが、
（ａ）前記編集可能なテキスト部分にある、既存の連続する２文字の間に少なくとも１つの追加文字を挿入する入力を受信することによって、
（ｂ）前記編集可能なテキスト部分から既存の文字を削除する入力を受信することによって、または
（ｃ）前記編集可能なテキスト部分にある、既存の文字を変更する入力を受信することによって
前記スタイラスを介した入力を受け入れて前記編集可能なテキスト部分への変更を可能にすることを特徴とするコンピュータ読取可能な記録媒体。
【請求項６】
前記プログラムは、前記オリジナルのテキストの一部を選択する入力を受信するステップをさらに有することを特徴とする請求項５に記載のコンピュータ読取可能な記録媒体。
【請求項７】
前記プログラムにおいて、
（ａ）前記少なくとも１つの追加の文字を挿入する入力が、前記既存の連続する２文字の間の訂正インターフェースに対応するデジタイザの領域において、前記スタイラスを用いて、前記少なくとも１つの追加の文字をユーザが書く結果として受信され、
（ｂ）前記既存の文字を削除する入力が、前記削除対象の既存の文字に関連付けられたメニューから、前記スタイラスを用いて削除アクションをユーザが選択する結果として、または前記削除対象の既存の文字についての場所において前記訂正インターフェースに対応するデジタイザの領域において、前記スタイラスを用いて削除ジェスチャをユーザが書く結果として受信され、
（ｃ）前記既存の文字を変更する入力が、前記変更対象の既存の文字についての場所において前記訂正インターフェースに対応するデジタイザの領域において、前記スタイラスを用いて所望の新しい文字をユーザが書く結果として受信される
ことを特徴とする請求項５に記載のコンピュータ読取可能な記録媒体。
【請求項８】
前記訂正インターフェースは、
（ａ）前記編集可能なテキスト部分を含む第１の部分と、
（ｂ）選択可能に前記スタイラスを用いて、前記オリジナルのテキストの部分に代入する代替候補を少なくとも１つ含む第２の部分と、
（ｃ）選択可能に前記スタイラスを用いて、少なくとも１つのアクションアイテムを有するメニューを含む第３の部分と
を有することを特徴とする請求項５に記載のコンピュータ読取可能な記録媒体。
【請求項９】
訂正インターフェースの起動の要求を受信するよう構成された入力要素と、
オリジナルのテキストの少なくとも一部に対応する編集可能なテキスト部分を表示して、スタイラスを介した入力を受け入れて前記編集可能なテキスト部分を１文字ずつ変更することを可能にする前記訂正インターフェースを起動するようプログラムされ構成されたプロセッサと
を備えたシステムであって、
前記プロセッサが、
（ａ）前記編集可能なテキスト部分にある、既存の連続する２文字の間に少なくとも１つの追加文字を挿入する入力を受信する、
（ｂ）前記編集可能なテキスト部分から既存の文字を削除する入力を受信する、または
（ｃ）前記編集可能なテキスト部分にある、既存の文字の変更を示す入力を受信する
ようさらにプログラムされ構成されたことを特徴とするシステム。
【請求項１０】
（ａ）前記既存の連続する２文字の間の訂正インターフェースに対応するデジタイザの領域において、前記スタイラスを用いて、少なくとも１つの追加の文字を書かれると、前記プロセッサが前記少なくとも１つの対応する追加の文字を挿入する入力を受信し、
（ｂ）前記削除対象の既存の文字に関連付けられたメニューから削除アクションが選択されると、または前記削除対象の既存の文字についての場所において前記訂正インターフェースに対応するデジタイザの領域において、前記スタイラスを用いて削除ジェスチャが書かれると、前記プロセッサが前記削除対象の既存の文字を示す入力を受信し、
（ｃ）前記変更対象の既存の文字についての場所において前記訂正インターフェースに対応するデジタイザの領域において、前記スタイラスを用いて所望の新しい文字が書かれると、前記プロセッサが前記変更対象の既存の文字を示す入力を受信する
ことを特徴とする請求項９に記載のシステム。
【請求項１１】
前記訂正インターフェースにより受け入れられる入力のうち少なくともいくつかは、前記オリジナルのテキストにおいて、対応する変更をトリガすることを特徴とする請求項９に記載のシステム。
【請求項１２】
前記訂正インターフェースは、
（ａ）前記編集可能なテキスト部分を含む第１の部分と、
（ｂ）選択可能に前記スタイラスを用いて、前記オリジナルのテキストの部分に代入する代替候補を少なくとも１つ含む第２の部分と、
（ｃ）選択可能に前記スタイラスを用いて、少なくとも１つのアクションアイテムを有するメニューを含む第３の部分と
を有することを特徴とする請求項９に記載のシステム。